(57)【要約】  予め製作された壁パネルと屋根パネルとを設置面上で組み合わせることで構築される組立建物１である。  この組立建物１は、２枚の壁パネル２１，２１を屈曲自在に連結した壁ユニット２Ａ，２Ｂによって形成される屋根の下端を支持する外壁部２０と、複数の屋根パネル３１，・・・から形成される屋根部３と、屋根パネルの上端を取り付ける取付治具５１と設置面に荷重を伝達させる伸縮棒５２とが分離可能に接続されるとともに、外壁部２０に囲まれた内部にその上端面より上方に突出するように立設される上端側支持部５とを備えている。
2009057197.tif 000002
【特許請求の範囲】
【請求項１】
予め製作された壁パネルと屋根パネルとを設置面上で組み合わせることで構築される組立建物であって、
少なくとも２枚の壁パネルを屈曲自在に連結した壁ユニットとそれに対向する位置に立設される支持ユニット、又は３枚以上の壁パネルを屈曲自在に連結した壁ユニットによって形成される屋根の下端を支持する外縁支持部と、
複数の屋根パネルから形成される屋根部と、
前記屋根パネルの上端を取り付ける取付治具と前記設置面に荷重を伝達させる支持体とが分離可能に接続されるとともに、前記外縁支持部に囲まれた内部に前記外縁支持部の上端面より上方に突出するように立設される上端側支持部と、を備えたことを特徴とする組立建物。
【請求項２】
前記支持ユニットは、少なくとも２枚の壁パネルを屈曲自在に連結した壁ユニットであることを特徴とする請求項１に記載の組立建物。
【請求項３】
前記支持ユニットは、柱材と梁材とによって構成される梁柱ユニットであることを特徴とする請求項１に記載の組立建物。
【請求項４】
前記３枚以上の壁パネルを屈曲自在に連結した壁ユニットは、壁パネルの側端面のすべてが隣接する壁パネルの側端面に屈曲自在に連結されて閉合されていることを特徴とする請求項１に記載の組立建物。
【請求項５】
前記壁パネルは、鋼製の骨組部材の内面側に架け渡された木製の木枠を介して内壁板が取り付けられていることを特徴とする請求項１乃至４のいずれか一項に記載の組立建物。
【請求項６】
前記外縁支持部は、平面視多角形に形成され、
前記屋根パネルは、上端の長さが下端の長さより短い台形状に形成されていることを特徴とする請求項１乃至４のいずれか一項に記載の組立建物。
【請求項７】
前記取付治具は、前記屋根パネルの上端の長さを一辺の長さにした平面視多角形であって、前記外縁支持部の上端面に前記屋根パネルの下端を載置するとともに、その取付治具の一辺に前記屋根パネルの上端を支持させることを特徴とする請求項６に記載の組立建物。
【請求項８】
前記屋根パネルは、屋根部の棟になる部分に屈曲自在の曲折部が形成されていることを特徴とする請求項１乃至４のいずれか一項に記載の組立建物。
【請求項９】
予め製作された壁パネルと屋根パネルとを設置面上で組み合わせることで構築される組立建物の構築方法であって、
少なくとも２枚の壁パネルを屈曲自在に連結した壁ユニットの一枚の壁パネルを、設置面の所定の位置に固定する工程と、
前記固定した壁パネルを基準にして残りの壁パネルを移動させて所定の位置に固定する工程と、
前記壁ユニットだけでは屋根パネルを支持する外縁支持部が完成しない場合は、別の壁ユニット又は支持ユニットを設置して屋根の下端を支持する外縁支持部を完成させる工程と、
屋根パネルの上端を取り付ける取付治具と前記設置面に荷重を伝達させる支持体とが分離可能に接続された上端側支持部を、前記外縁支持部に囲まれた内部に前記外縁支持部の上端面より上方に突出するように立設する工程と、
前記屋根パネルの下端を前記外縁支持部の上端面に載置するとともに、その屋根パネルの上端を前記取付治具の一辺に支持させる工程と、
前記取付治具から前記支持体を切り離す工程とを備えたことを特徴とする組立建物の構築方法。
【請求項１０】
請求項１乃至４のいずれか一項に記載の組立建物を複数連結して構築される建物。
【請求項１１】
前記支持ユニットは、隣接する前記組立建物間に跨って配置されることを特徴とする請求項１０に記載の建物。
【請求項１２】
前記支持ユニットは、隣接する前記組立建物間に部分的に配置される内壁ユニットであることを特徴とする請求項１１に記載の建物。
【請求項１３】
前記屋根パネルの一部は、隣接する前記組立建物間に跨って配置されるとともに、前記支持ユニットに載置される部分に屈曲自在の曲折部が形成されていることを特徴とする請求項１１に記載の建物。
【発明の詳細な説明】
【技術分野】
【０００１】
本発明は、壁パネルや屋根パネルを使用した、組み立て及び解体が容易な組立建物、組立建物の構築方法及び建物に関するものである。
【背景技術】
【０００２】
従来、特許文献１，２に開示されているように、折り畳まれている部材を展開することで容易に組み立てられ、また、解体する際にも組み立て時とは逆の手順で容易に撤去できる簡易な建物が知られている。【０００３】
例えば、特許文献１には、壁部材と天井部材と床部材のすべてがヒンジで連結された折畳み構築物が開示されている。この折畳み構築物は、壁の中央部が内側に折り畳めるようになっており、設置したい場所で、壁部材を広げ、天井部材を広げ、床部材を広げることで、容易に組み立てることができる。
また、特許文献２には、丸太状の竹を繋ぎ合わせた壁部材を展開して構築する円筒形の建物が開示されている。
【特許文献１】特許第２９９１５６７号
【特許文献２】特開２００１−１７３１００号
【発明の開示】
【発明が解決しようとする課題】
【０００４】
しかしながら、特許文献１の折畳み構築物は、壁部材と天井部材と床部材のすべてがヒンジで連結されているので、大きさや形状が制限されることが多い。また、壁の途中に折り曲げられる箇所があるため、その位置には窓や入口を設けることができないという制約があり、仮設建物という外観を払拭しにくい。
さらに、特許文献２の建物については、竹を連結した壁部材は変形自在であるが、自在に変形しすぎて設置時に位置決めが難しいという課題がある。また、円筒形の建物では幅の広い窓を設けることができないなどの制約があり、上記と同様に仮設建物という外観になりやすい。【０００５】
そこで、本発明は、位置決めが容易で、迅速に設置できるうえに、外観の自由度に優れた組立建物、組立建物の構築方法及び建物を提供することを目的としている。
【課題を解決するための手段】
【０００６】
前記目的を達成するために、本発明の組立建物は、予め製作された壁パネルと屋根パネルとを設置面上で組み合わせることで構築される組立建物であって、少なくとも２枚の壁パネルを屈曲自在に連結した壁ユニットとそれに対向する位置に立設される支持ユニット、又は３枚以上の壁パネルを屈曲自在に連結した壁ユニットによって形成される屋根の下端を支持する外縁支持部と、複数の屋根パネルから形成される屋根部と、前記屋根パネルの上端を取り付ける取付治具と前記設置面に荷重を伝達させる支持体とが分離可能に接続されるとともに、前記外縁支持部に囲まれた内部に前記外縁支持部の上端面より上方に突出するように立設される上端側支持部と、を備えたことを特徴とする。
【発明の効果】
【０００７】
このように構成された本発明の組立建物は、少なくとも２枚の壁パネルを屈曲自在に連結した壁ユニットによって外縁支持部を構成するので、折り畳んだ状態で容易に運搬できるうえに、壁ユニットを広げれば所望する位置に自立させることができ、位置決めが容易である。
また、壁パネルの範囲内であれば窓の大きさや形状に制約がなく、壁パネルと屋根パネルとが別体になっているので、運搬時及び設置時の大きさの制約も受けにくく、外観設計の自由度に優れている。
【図面の簡単な説明】
【０００８】
【図１】本発明の最良の実施の形態の組立建物の構成を説明する斜視図である。
【図２】本発明の最良の実施の形態の組立建物の構成を説明する断面図である。
【図３】図２のIII−III矢視方向で見た平面図である。
【図４】図３のIV−IV矢視方向で見た断面図である。
【図５】図３のV部の部分拡大図である。
【図６】壁ユニットの屈曲自在に連結した側面の構成を示した側面図である。
【図７】壁ユニットの屈曲自在に連結した部分の回動状態を説明する断面図である。
【図８】屋根パネルの上端を支持させる上端側支持部を設置面上に立設させた構成を説明する断面図である。
【図９】屋根パネルを設置する作業を説明する説明図である。
【図１０】図８のX−X矢視方向で見た平面図である。
【図１１】図９のXI部の部分拡大図である。
【図１２】すべての屋根パネルを設置した後に上端側支持部を見上げた状態を説明する拡大斜視図である。
【図１３】１組目の壁ユニットを広げる作業工程を説明する説明図である。
【図１４】２組目の壁ユニットを広げる作業工程を説明する説明図である。
【図１５】１枚目の屋根パネルを設置する作業工程を説明する説明図である。
【図１６】２枚目の屋根パネルを設置する作業工程を説明する説明図である。
【図１７】壁パネル間、屋根パネル間に仕上げ部材を設置する作業工程を説明する説明図である。
【図１８】別の形態の屋根パネルを組み合わせて形成される屋根部の構成を説明する平面図である。
【図１９】２棟の組立建物を連結して構築される建物の平面図である。
【図２０】図１９の建物の側面図である。
【図２１】３棟の組立建物を連結して構築される建物の平面図である。
【図２２】図２１の建物の側面図である。
【図２３】大きさの異なる３棟の組立建物を連結して構築される建物の平面図である。
【図２４】図２３の建物の側面図である。
【図２５】平面視正六角形の組立建物の構成を説明する平面図である。
【図２６】図２５のXXVI−XXVI矢視方向で見た断面図である。
【図２７】６枚の壁パネルが連結された壁ユニットの折り畳んだ状態を示した斜視図である。
【図２８】６枚の壁パネルが連結された壁ユニットを広げる工程を説明する説明図である。
【図２９】３棟の平面視正六角形の組立建物を連結して構築される建物の平面図である。
【図３０】図２９のXXX−XXX矢視方向で見た断面図である。
【図３１】２棟の平面視正六角形の組立建物を平面視正方形の組立建物で連結して構築される建物の平面図である。
【図３２】７棟の平面視正六角形の組立建物を連結して構築される建物の平面図である。
【図３３】４棟の組立建物を連結して構築される建物の斜視図である。
【図３４】４棟の組立建物を連結して構築される建物の平面図である。
【図３５】図３４のXXXV部の部分拡大図である。
【図３６】図３４のXXXVI−XXXVI矢視方向で見た断面図である。
【図３７】屈曲自在の屋根パネルを組み合わせて形成される屋根部の概略構成を説明する平面図である。
【図３８】屋根パネルを設置する作業を説明する説明図である。
【符号の説明】
【０００９】
１            組立建物
２０          外壁部（外縁支持部）
２Ａ          壁ユニット
２Ｂ          壁ユニット（支持ユニット）
２１          壁パネル
２１ａ        上端面
２２          ヒンジ部（屈曲自在の連結）
３            屋根部
３１          屋根パネル
３１ａ        下端
３１ｂ        上端
４１          設置面
５            上端側支持部
５１          取付治具
５２          伸縮棒（支持体）
６１          ２連建物（建物）
６１１，６１２  組立建物
６２          ３連建物（建物）
６２１−６２３  組立建物
６３          ３連建物（建物）
６３１−６３３  組立建物
７            組立建物
７０          外壁部（外縁支持部）
７１          壁ユニット
７１１        壁パネル
７２          屋根部
７２１        屋根パネル
７３１        設置面
８０          六角３連建物（建物）
８            組立建物
８１          壁ユニット
８２          梁柱ユニット（支持ユニット）
８２１        梁材
８２２        柱材
８３          屋根部
８５          間仕切りユニット（支持ユニット）
９１          変則３連建物（建物）
９１１        四角形建物（組立建物）
９１２        六角形建物（組立建物）
９２          大型建物（建物）
９２１−９２７  六角形建物（組立建物）
９３          ４連建物（建物）
９３１Ａ−９３１Ｄ  組立建物
９３２        壁ユニット
９３２ａ      壁パネル
９３３        袖壁ユニット（内壁ユニット）
９３４        十字壁ユニット（内壁ユニット）
９３５        屋根パネル
９４          ４連建物（建物）
９４１Ａ−９４１Ｄ  組立建物
９４２，９４３  屋根パネル
９４２ａ，９４３ａ  曲折部
９４４        内壁ユニット
９４５        壁ユニット
【発明を実施するための最良の形態】
【００１０】
以下、本発明の最良の実施の形態について図面を参照して説明する。【００１１】
まず、図１−５を参照しながら組立建物１の構成について説明する。
この組立建物１は、基礎スラブ４の上に立設させる外縁支持部としての外壁部２０と、その外壁部２０に下端側が支持される屋根部３とから主に構成される。【００１２】
この外壁部２０は、複数の壁パネル２１，・・・から構成されており、適宜、窓２５や入口のドア２３が設けられている。また、そのドア２３の前には、基礎スラブ４に接続される入口階段４４が設けられている。
さらに、屋根部３は、複数の台形状の屋根パネル３１，・・・が組み合わさって形成されている。【００１３】
この組立建物１の詳細な構成をさらに説明すると、図２に示すように、基礎スラブ４は床版であって、鉄筋コンクリートなどで構築される。
そして、この基礎スラブ４の上面が、外壁部２０の設置面４１となる。なお、この設置面４１上には、最終的には仕上げとしてフローリング材やジュータンやタイル等が敷き詰められて、床仕上げ面４３が形成される。【００１４】
また、平面視四角形の設置面４１の外縁には、図３に示すように４枚の壁パネル２１，・・・が設置されて、その内部に壁パネル２１，・・・に囲まれた空間が形成される。この空間は、間仕切りパネル２４，２４などを設置して区切ることもできる。
なお、後述するが、この壁パネル２１は、２枚ずつで１組の壁ユニット２Ａ，２Ｂになっており、各壁ユニット２Ａ，２Ｂの壁パネル２１，２１間は、屈曲自在のヒンジ部２２で連結されている。【００１５】
また、壁パネル２１は、骨組部材とその内外側面に取り付けられる面材とから構成される。すなわち、図４に示すように、骨組部材の外面側には幅板状の外装板２１１，・・・が重ね合わされた外面が形成され、骨組部材の内空にはグラスウールなどの断熱材２１２が配置され、骨組部材の内面側には木製の木枠２１３，・・・が架け渡され、その木枠２１３，・・・を介して内壁板２１４が取り付けられる。【００１６】
この骨組部材は、例えば断面視Ｕ字形の鋼材を組み合わせて構成される枠体で、壁パネル２１の上端面２１ａに配置される上端面枠２１６と、下端面２１ｂに配置される下端面枠２１７と、側端面に配置される側端面枠２１９，２１９と、側端面枠２１９，２１９間に間隔を置いて配置されて上端面枠２１６と下端面枠２１７とに上下端がそれぞれ連結される縦材２１５と、によって主に構成されている（図４，６，７参照）。また、この骨組部材は、内外面に取り付けられる面材のせん断耐力が不足する際には、必要に応じてブレースなどで補強される。【００１７】
そして、このように構成された鋼製の骨組部材の内面側に、図４に示すように、複数の木製の木枠２１３，・・・が水平方向に架け渡され、その木枠２１３，・・・に内壁板２１４が取り付けられている。このため、鋼製の骨組部材に直接内壁板２１４を取り付けた場合に比べて、室内外の温度伝達が非常に少なく、外部の冷気が室内に入り込んだり、室内の暖気が外部に漏出したりすることを防ぐことができる。【００１８】
また、図４に示すように、設置面４１上には土台部４５が設けられ、その土台部４５の上に下端面枠２１７の下面が当接されることで壁パネル２１が設置される。【００１９】
さらに、図４に示すように、壁パネル２１の上端面２１ａには、屋根パネル３１の下端３１ａが接続されている。
この屋根パネル３１は、骨組部材とその内外面に取り付けられる面材とから構成される。すなわち、図４に示すように、骨組部材の上面側にはアスファルトルーフィングなどの防水処理材３１１ａで被覆された屋根板３１１が取り付けられ、骨組部材の内空には断熱材３１２が配置され、骨組部材の下面側には木枠３１４，・・・を介して天井板３１５が取り付けられる。
この骨組部材は、例えば断面視Ｕ字形の鋼材を組み合わせて構成される枠体で、屋根パネル３１の下端３１ａに配置される下端枠３１３と、上端３１ｂに配置される上端枠３１８と、斜辺３１ｃに配置される斜辺枠（図示省略）と、下端枠３１３に直交する方向に向けて複数取り付けられる縦材３１６と、によって主に構成されている（図４，１１，１５参照）。【００２０】
また、図４に示すように、屋根パネル３１の下端３１ａと、壁パネル２１の上端面２１ａとの間は、接続金具３４によって接合される。この接続金具３４は、屋根パネル３１の縦材３１６の近傍に取り付けられる。
さらに、接続金具３４の外側は、軒先仕上げ材３６で覆われており、この軒先仕上げ材３６と、壁パネル２１の外面との間には、間隔保持材３６１が介在されている。
一方、接続金具３４は、図４に示すように、壁パネル２１の上端面枠２１６に固定するための壁側取付片３４１と、屋根パネル３１の下端枠３１３に固定するための屋根側取付片３４２と、その両片を繋ぐ中間片３４３とが、各面が直交するように折り曲げられて一体に形成されている。
この壁側取付片３４１と屋根側取付片３４２には、各パネル３１，２１にそれぞれ固定するためのネジを通すネジ穴が設けられている。また、屋根パネル３１を設置する勾配に合わせて、壁側取付片３４１に対して屋根側取付片３４２が所定の角度で傾いている。【００２１】
また、図５には、外壁部２０の角部となる図３のV部を拡大した詳細図を示した。
この角部は、壁ユニット２Ａの一方の壁パネル２１と壁ユニット２Ｂの一方の壁パネル２１とを接続する角部で、それぞれの壁パネル２１，２１の側端面枠２１９，２１９同士が固定金具２６ａを介して接合されている。
また、この角部の内角側には、内角材２６ｂが配置され、固定金具２６ａと内角材２６ｂとがネジ２６ｃによって連結されている。さらに、角部の外角側には、外角保護材２６が配置されて、壁パネル２１，２１の外装板２１１，２１１間の隙間が塞がれることになる。
また、この外角保護材２６と固定金具２６ａと内角材２６ｂとによる接合によって、壁パネル２１，２１間の角度が直角に拘束されることになる。【００２２】
ここまでは、組立建物１として設置された壁ユニット２について説明したが、図６，７を参照しながら、設置前の壁ユニット２について説明する。なお、ここでは、壁ユニット２Ａ，２Ｂを壁ユニット２としてまとめて説明する。
図６は、２枚の壁パネル２１，２１の内壁板２１４，２１４を対峙させた状態に並べて、複数のヒンジ金具２２１，・・・によって屈曲自在に壁パネル２１，２１同士を連結した壁ユニット２の側面を示した図である。この複数のヒンジ金具２２１，・・・によって連結された箇所がヒンジ部２２を構成する。
また、このヒンジ金具２２１の両側は、壁パネル２１，２１の側端面に取り付けられた側端面枠２１９，２１９にそれぞれ固定される。【００２３】
そして、このようにヒンジ金具２２１で連結された２枚の壁パネル２１，２１は、図７の二点鎖線で示すように、一方の壁パネル２１を固定させた状態で、ヒンジ金具２２１を中心にして他方の壁パネル２１を回動させて広げることができる。
なお、この壁ユニット２の展開は、搬送時や吊り上げ時などの意図しないときに起きないように、ヒンジ部２２の反対側の側面を仮止めしておく。【００２４】
続いて、屋根部３を組み立てる際に使用される上端側支持部５について、図８−１２を参照しながら説明する。
この上端側支持部５は、屋根パネル３１の上端３１ｂを支持させる取付治具５１と、設置面４１に立設させてその取付治具５１を支持させる支持体としての伸縮棒５２とから主に構成される。
この伸縮棒５２は、設置面４１に固定するための底板５２２と、長さ調整具５２１を備えた本体５２４と、上端に設けられる上板５２３とから主に構成される。
この伸縮棒５２は、屋根パネル３１を支持させる際には、ボルト５２２ａによって底板５２２が設置面４１に固定され、上板５２３にはネジなどで取付治具５１が固定されている。また、屋根部３が完成した後は、ボルト５２２ａなどを外して設置面４１と取付治具５１との接合を解除し、長さ調整具５２１を操作して本体５２４の長さを短くして、取付治具５１と設置面４１との間から伸縮棒５２を抜き取る。【００２５】
また、取付治具５１は、図１０に示すように平面視四角形の枠材５１１と、図８，１０に示すように枠材５１１の上面に固定される平面視十字形の上部を備えた接続部５１２とから主に構成される。
この枠材５１１は、図１１に示すように、下縁が外側に向けて庇状に延出されており、その先端には屋根パネル３１の上端３１ｂを支持させる受け金具５１１ａが取り付けられている。
すなわち、図９に示すように、吊り輪３５を介してクレーンで吊り上げられた屋根パネル３１は、その下端３１ａをまず壁パネル２１の上端面２１ａに載せ、そのまま傾けて屋根パネル３１の上端３１ｂを枠材５１１の受け金具５１１ａに載せる。そして、屋根パネル３１下方の建物の内部から、ネジ５１１ｂで枠材５１１に屋根パネル３１の上端３１ｂを固定する。【００２６】
このような手順で屋根パネル３１の設置を繰り返し、すべての屋根パネル３１，・・・を枠材５１１に固定した状態を下から見上げた斜視図が、図１２である。
ここで、すべての屋根パネル３１，・・・が枠材５１１に固定されるまでは、それぞれの屋根パネル３１は、上端側支持部５によって支持されることになる。そして、すべての屋根パネル３１，・・・が枠材５１１に固定されると、屋根パネル３１，・・・間の力のバランスが均衡して、上端側支持部５による支持が不要になる。このため、屋根パネル３１，・・・の設置が終了したときには、取付治具５１の接続部５１２と上板５２３との接続を解除して、伸縮棒５２を撤去することができる。【００２７】
次に、図１３−図１７を参照しながら、本実施の形態の組立建物１の構築方法について説明する。【００２８】
まず、組立建物１を構築する場所に、鉄筋コンクリートなどで平面視正方形の基礎スラブ４を構築する。
そして、工場で製作された折り畳んだ状態の壁ユニット２Ａ，２Ｂを、トラックなどで基礎スラブ４の近くまで運び込む。
続いて、１組目の壁ユニット２Ａの吊り金具に吊りワイヤを取り付け、クレーンで基礎スラブ４の上方まで移動させる。【００２９】
また、基礎スラブ４の設置面４１に吊り降ろされた壁ユニット２Ａは、図１３に示すように、一方の壁パネル２１を所定の位置に固定し、他方の壁パネル２１を開いて移動させる。この際、一方の壁パネル２１は、所定の位置に固定されて位置決めがされており、他方の壁パネル２１を開いていくに従って壁ユニット２Ａの自立性が増していくことになるので、壁ユニット２Ａの設置を容易かつ迅速におこなうことができる。【００３０】
１組目の壁ユニット２Ａの設置が完了した後に、図１４に示すように、壁ユニット２Ａに対向する位置に支持ユニットとしての２組目の壁ユニット２Ｂの設置をおこなう。
そして、２組の壁ユニット２Ａ，２Ｂからなる外壁部２０によって囲まれた内部空間の略中央に、図１５に示すように、上端側支持部５を立設する。【００３１】
続いて、壁ユニット２Ａ，２Ｂと同様に工場で製作されて基礎スラブ４の近くまで運び込まれた屋根パネル３１の設置をおこなう。
まず、吊り輪３５に繋いだ吊りワイヤ３５１によって屋根パネル３１を吊り上げ、壁パネル２１の上端面２１ａに下端３１ａを載置できる位置まで屋根パネル３１を移動させる。
そして、壁パネル２１の上端面２１ａを支点にして、屋根パネル３１の上端３１ｂを上端側支持部５方向に傾ける。この屋根パネル３１は、骨組部材と面材で構成された剛性の高い部材なので、下端３１ａを壁パネル２１の上端面２１ａに支持させ、上端３１ｂを上端側支持部５の取付治具５１に支持させるという両端支持構造であっても安定させることができる。
このようにして１枚目の屋根パネル３１を設置した後は、同様にして図１６に示すように、２枚目以降の屋根パネル３１も順次、設置していく。【００３２】
そして、壁ユニット２Ａ，２Ｂと屋根パネル３１，・・・の設置が完了した後に、屋根パネル３１，３１間及び壁パネル２１，２１間に仕上げ材を配置する。
この仕上げ材には、屋根部３の軒先に配置される長尺状の軒先仕上げ材３６、壁パネル２１，２１間に取り付けられる外角保護材２６などがある。【００３３】
この軒先仕上げ材３６は、屋根パネル３１の下端３１ａと壁パネル２１の外装板２１１上方との間を塞ぐように設置される。
また、壁ユニット２Ａ，２Ｂの側端間の接続部となる壁パネル２１，２１間には、図５及び図１７に示すように、外角保護材２６を配置する。
このようにして外部躯体が完成した後に、組立建物１の内部の床仕上げ面４３の構築、設備工事などをおこなえばよい。【００３４】
また、以上の手順によって組立建物１を容易かつ短時間で構築することができるが、この組立作業の手順と逆の手順を辿れば、容易かつ短時間で組立建物１を解体することもできる。【００３５】
なお、上記では台形状の屋根パネル３１，・・・を組み合わせて屋根部３を構築する場合について説明したが、これに限定されるものではない。例えば、図１８には、４枚の正方形の屋根パネル３１０，・・・を組み合わせて構築される屋根部３０の平面図を示した。
この屋根パネル３１０は、屋根部３０の棟となる部分が屈曲自在の曲折部３１０ａとなっており、折り畳んで搬送することができる。このため、一枚の台形状の屋根パネル３１に比べて効率よく運搬することができる。【００３６】
次に、本実施の形態の組立建物１の作用について説明する。
このように構成された本実施の形態の組立建物１は、２枚の壁パネル２１，２１を屈曲自在にヒンジ部２２で連結した壁ユニット２Ａ，２Ｂによって外壁部２０を構成するので、壁ユニット２Ａ，２Ｂは折り畳んだ状態で容易に運搬できる。そのうえ、壁ユニット２Ａ，２Ｂを広げれば所望する位置に壁パネル２１，２１を自立させることができるので、位置決めが容易である。
すなわち、設置面４１上に壁ユニット２Ａを吊り降ろした後に、一方の壁パネル２１を設置面４１に固定すれば、安定した状態でもう一方の壁パネル２１を所定の位置に移動させることができる。【００３７】
また、屋根パネル３１は、壁パネル２１の上端面２１ａと上端側支持部５の取付治具５１に架け渡すだけで容易に設置することができる。この架け渡す作業も、クレーンを操作しておこなうことができ、取付治具５１の枠材５１１に屋根パネル３１の上端３１ｂを固定する際も、建物の内側からおこなうことができるので、高所作業が少なく、安全かつ容易に作業をおこなうことができる。
さらに、取付治具５１の枠材５１１にすべての屋根パネル３１，・・・の取り付けが完了すると、屋根部３が構造的に安定するので、上端側支持部５の伸縮棒５２を撤去して室内を広く使用することができる。【００３８】
また、壁パネル２１の範囲内であれば窓２５やドア２３の大きさや形状に制約がなく、自由に設計することができる。さらに、壁パネル２１と屋根パネル３１とが別体になっているので、それぞれのパネルが大きくなっても運搬が可能で、大きさの制約も受けにくく、外観設計の自由度に優れている。
【実施例１】
【００３９】
次に、前記実施の形態で説明した組立建物１を複数連結して構築される建物について説明する。なお、前記実施の形態で説明した内容と同一乃至均等な部分の説明については、同一用語や同一符号を用いて説明する。【００４０】
図１９及び図２０は、大きさの異なる２つの組立建物６１１，６１２を連結して構築される、建物としての２連建物６１の構成について説明する図である。
この２連建物６１は、基礎スラブ６１４上に配置された２つの組立建物６１１，６１２が、互いに壁の一部を重ねて連結されている。
これらの組立建物６１１，６１２は、前記実施の形態で説明した組立建物１と同様の工程でそれぞれ組み立てられるので、２連建物６１であっても容易に構築することができる。【００４１】
図２１及び図２２は、大きさの異なる３つの組立建物６２１，６２２，６２３を連結して構築される、建物としての３連建物６２の構成について説明する図である。
この３連建物６２は、基礎スラブ６２５上に配置された３つの組立建物６２１，６２２，６２３が、互いに壁の一部を重ねて斜めに連なるように連結されている。
これらの組立建物６２１，６２２，６２３も、前記実施の形態で説明した組立建物１と同様の工程でそれぞれ組み立てられるので、３連建物６２であっても容易に構築することができる。【００４２】
また、図２３及び図２４は、上記と同じく大きさの異なる３つの組立建物６３１，６３２，６３３を、平面視略Ｃ字形に連結して構築される建物としての３連建物６３の構成について説明する図である。
この３連建物６３は、図２４に示すように、傾斜のある土地に階段状に基礎スラブ６３５を構築し、その上に互いに壁の一部を重ねて３つの組立建物６３１，６３２，６３３を配置して構築される。
これらの組立建物６３１，６３２，６３３も、前記実施の形態で説明した組立建物１と同様の工程でそれぞれ組み立てられるので、３連建物６３であっても容易に構築することができる。【００４３】
なお、実施例１のこの他の構成および作用効果については、前記実施の形態と略同様であるため説明を省略する。
【実施例２】
【００４４】
次に、前記実施の形態で説明した組立建物１とは平面形状が異なる組立建物について説明する。なお、前記実施の形態で説明した内容と同一乃至均等な部分の説明については、同一用語や同一符号を用いて説明する。
すなわち、前記実施の形態では、平面視正方形の組立建物１について説明したが、本発明は、四角形以外の五角形、六角形・・・など平面視多角形の形状にも適用できるので、この実施例２では、平面視六角形の組立建物７について説明する。【００４５】
この組立建物７は、図２５及び図２６に示すように、基礎スラブ７３の設置面７３１上に立設された６枚の壁パネル７１１，・・・によって、外縁支持部としての外壁部７０が形成されている。また、外壁部７０を構成する一枚の壁パネル７１１には入口が設けられる。
さらに、この外壁部７０の上端面には、台形状の屋根パネル７２１の下端が載置され、屋根パネル７２１の上端は取付治具７５に支持され、取付治具７５の上方は塞がれる。【００４６】
このような組立建物７の外壁部７０は、例えばヒンジ部を介して屈曲自在に連結した３枚の壁パネル７１１，・・・によって１組の壁ユニットを製作し、２組の壁ユニットを設置面７３１で接合して構築することができる。【００４７】
また、図２７及び図２８に示すように、６枚の壁パネル７１１，・・・のすべてをヒンジ部７１３，・・・を介して屈曲自在に連結した壁ユニット７１を製作し、その壁ユニット７１を設置することで外壁部７０を構築することもできる。
この場合、図２７に示すように、折り畳んだ状態で壁ユニット７１を運搬し、吊り具７１２を使って壁ユニット７１を吊り上げ、そのままの状態で設置面７３１上に吊り降ろす。
そして、図２８に示すように、折り畳まれた壁ユニット７１を徐々に広げ、平面視正六角形の外壁部７０を形成する。【００４８】
次に、実施例２の組立建物７の作用について説明する。
このように構成された組立建物７は、四角形状の壁パネル７１１と台形状の屋根パネル７２１とを組み合わせることによって、平面視正六角形の組立建物７を構築することができる。
また、正方形や正六角形以外の多角形の組立建物であっても、この実施例２の組立建物７と同様に、四角形状の壁パネルと台形状の屋根パネルとを組み合わせることによって、容易に構築することができる。【００４９】
さらに、外壁部７０を構成するすべての壁パネル７１１，・・・を屈曲自在に連結することで、一度の搬送及び吊り上げによって、外壁部７０を構築することができる。また、設置面７３１上で壁パネル７１１，７１１同士を連結する作業を削減することができる。そのうえ、設置面７３１に壁パネル７１１を順次、固定していく過程で、固定されていない壁パネル７１１が所定の位置に導かれていくので、位置決めがし易く、迅速に外壁部７０を構築することができる。【００５０】
なお、実施例２のこの他の構成および作用効果については、前記実施の形態又は他の実施例と略同様であるため説明を省略する。
【実施例３】
【００５１】
次に、前記実施の形態で説明した組立建物１、及び実施例２で説明した組立建物７を複数連結して構築される建物について説明する。なお、前記実施の形態又は実施例で説明した内容と同一乃至均等な部分の説明については、同一用語や同一符号を用いて説明する。【００５２】
図２９及び図３０は、同じ大きさの３つの組立建物８，・・・を連結して構築される、建物としての六角３連建物８０の構成について説明する図である。
この六角３連建物８０は、基礎スラブ８４上に配置された３つの組立建物８，・・・が、それぞれ隣接する組立建物８，・・・に一辺ずつ接して連結されている。【００５３】
そして、図２９の左右の組立建物８，８同士が接する辺には、支持ユニットとして梁柱ユニット８２が両側の組立建物８，８に跨って配置されている。この梁柱ユニット８２は、壁ユニット８１に対向する位置に立設されて、壁ユニット８１と同様に屋根部８３の下端を支持する。
すなわち、この梁柱ユニット８２は、六角形の角部に立設される柱材８２２，８２２と、その上端間に架け渡される梁材８２１と、柱材８２２と梁材８２１との接合部８２３とによって主に構成されており、接合部８２３及び梁材８２１の上端面に両側の屋根部８３，８３の下端が載置される。
このように梁柱ユニット８２を設けることで、組立建物８，８間を壁で区切られない連通された広い空間とすることができる。【００５４】
また、図２９の左側と上側の組立建物８，８同士が接する辺には、支持ユニットとしての間仕切りユニット８５が両側の組立建物８，８に跨って配置されている。この間仕切りユニット８５は、壁ユニット８１に対向する位置に立設されて、壁ユニット８１と同様に屋根部８３の下端を支持する。このような間仕切りユニット８５を設けることで、組立建物８，８間を壁で区切って別個の部屋とすることができる。【００５５】
図３１は、組立建物としての四角形建物９１１の両側に、それぞれ組立建物としての六角形建物９１２，９１２を連結して構築される、建物としての変則３連建物９１の構成について説明する図である。
この変則３連建物９１は、四角形建物９１１と六角形建物９１２，９１２とが接する連絡部９１４には、支持ユニットとして梁柱ユニットが配置され、それ以外の部分には壁ユニットが配置されている。
このように平面視の形状の異なる複数の組立建物を連結することによって、様々な形状の建物を構築することができる。【００５６】
図３２は、組立建物としての六角形建物９２１−９２７を７棟連結して構築される、建物としての大型建物９２の構成について説明する図である。
この大型建物９２は、中央に配置される六角形建物９２１の各辺に、６棟の六角形建物９２２−９２７がそれぞれ連結されて構築される。この六角形建物９２１−９２７間の支持ユニットは、梁柱ユニットとして互いの空間を連通させてもよいし、間仕切りユニットによって空間を区切ってもよい。
このように多くの組立建物９２１−９２７を連結して構築される大型建物９２は、同じ床面積に一つの寄棟の屋根を設ける場合に比べて、屋根部の高さを低くすることができる。【００５７】
なお、実施例３のこの他の構成および作用効果については、前記実施の形態又は他の実施例と略同様であるため説明を省略する。
【実施例４】
【００５８】
次に、組立建物の内部を連通させる構造で複数連結して構築される建物について説明する。なお、前記実施の形態又は実施例で説明した内容と同一乃至均等な部分の説明については、同一用語や同一符号を用いて説明する。【００５９】
図３３は、４つの組立建物９３１Ａ−９３１Ｄを連結して構築される建物としての４連建物９３の外観を示した斜視図である。この４連建物９３は、図３４に示すように、平面視略正方形の組立建物９３１Ａ−９３１Ｄを全体の平面視も略正方形になるように連結して組み立てられるものである。
これらの組立建物９３１Ａ−９３１Ｄは、外部に面する２辺が、それぞれ壁パネル９３２ａ，９３２ａからなる壁ユニット９３２で形成されている。また、隣接する組立建物９３１Ａ−９３１Ｄ間には、部分的に内壁ユニットとしての袖壁ユニット９３３と十字壁ユニット９３４とが配置されているだけで、その他には仕切りがなく連通した室内空間が形成される。【００６０】
図３５は、袖壁ユニット９３３と、外壁を形成する壁パネル９３２ａ，９３２ａとの交差部（図３４のXXXV部）の拡大平面図である。この壁パネル９３２ａ，９３２ａ間には、外部側にカバー材９３２ｂが配置されている。
この袖壁ユニット９３３は、組立建物９３１Ａと組立建物９３１Ｂとの境界に立設される支持ユニットであり、双方の組立建物９３１Ａ，９３１Ｂ間に跨って配置されている。詳細には、それぞれの組立建物９３１Ａ，９３１Ｂ上に、壁パネル９３２ａ側と部屋中心側とに間隔を置いて断面視略Ｕ字形の鋼材が縦材９３３ａ，・・・として立設されている。そして、この縦材９３３ａ，９３３ａ間に水平方向に向けて木枠９３３ｃが架け渡され、その木枠９３３ｃに内壁板９３３ｂが取り付けられることで、双方の組立建物９３１Ａ，９３１Ｂ側に内壁板９３３ｂ，９３３ｂをそれぞれ備えた一体の袖壁ユニット９３３が形成される。【００６１】
一方、内壁ユニットとしての十字壁ユニット９３４は、４つの組立建物９３１Ａ−９３１Ｄの角部が集結する部屋中心に配置される。この十字壁ユニット９３４は、平面視が略十字形である以外の構成は袖壁ユニット９３３と略同じであるので説明を省略する。
そして、この十字壁ユニット９３４は、４つの組立建物９３１Ａ−９３１Ｄに跨って配置されることになる。【００６２】
図３６は、図３４のXXXVI−XXXVI矢視方向で見た４連建物９３の断面図である。この図３６に示すように、組立建物９３１Ａ，９３１Ｂにそれぞれ配置される屋根部９３５，９３５は、外壁側の下端が壁ユニット９３２の上端面に載置され、部屋中心側の下端が袖壁ユニット９３３と十字壁ユニット９３４の上端面に載置されることになる。
そして、図３４に示すように、袖壁ユニット９３３と十字壁ユニット９３４との間には壁などの仕切りがないので、連通された広い室内空間を形成することができる。【００６３】
図３７は、上述した４連建物９３と同様に構成される４連建物９４に、屈曲自在の屋根パネル９４２，９４３を配置するための概念を説明する図である。この４連建物９４は、上述した組立建物９３１Ａ−９３１Ｄの壁ユニット９３２や袖壁ユニット９３３や十字壁ユニット９３４と同様の構造を備えた組立建物９４１Ａ−９４１Ｄを連結して構築される。
そして、この４連建物９４の屋根部９４０は、隣接する組立建物９４１Ａ−９４１Ｄ間に跨って配置される平面視略正方形の４枚の屋根パネル９４２，・・・と、各組立建物９４１Ａ−９４１Ｄにそれぞれ配置される平面視略二等辺三角形の４枚の屋根パネル９４３，・・・とによって構成される。【００６４】
この屋根パネル９４２は、組立建物９４１Ａ−９４１Ｄ間の境界に配置される部分がヒンジ部などの屈曲自在の曲折部９４２ａとなっており、二等辺三角形状に折り畳んで効率よく搬送することができる。
また、屋根パネル９４３は、各組立建物９４１Ａ−９４１Ｄの棟となる部分が屈曲自在の曲折部９４３ａとなっており、半分に折り畳んで効率よく搬送することができる。【００６５】
続いて、図３８を参照しながら、これらの屋根パネル９４２，９４３の設置作業について説明する。
まず、基礎スラブ４上に壁ユニット９４５、内壁ユニット９４４などの各組立建物９４１Ａ−９４１Ｄの外縁支持部を立設する。そして、各組立建物９４１Ａ−９４１Ｄの略中心には、取付治具５１を備えた上端側支持部５，・・・をそれぞれ立設する。【００６６】
そして、屋根パネル９４２を設置する際には、折り畳んだままの状態の屋根パネル９４２をクレーンで吊り上げ、曲折部９４２ａを内壁ユニット９４４の上端面に載置し、それぞれの組立建物９４１Ａ，９４１Ｂ側の取付治具５１，５１に向けて屋根パネル９４２を展開する。
また、屋根パネル９４３は、その下端を壁ユニット９４５の上端面に載置し、そこを支点にして上端を取付治具５１に向けて傾けることで設置をおこなう。【００６７】
このように構成された屋根パネル９４２，９４３は、曲折部９４２ａ，９４３ａで屈曲自在に形成されているので、折り畳むことで効率よく搬送することができる。そのうえ、一度に複数の組立建物９４１Ａ−９４１Ｄに屋根パネル９４２，９４３を設置するので、短時間で設置することができ作業性に優れている。
なお、実施例４のこの他の構成および作用効果については、前記実施の形態又は他の実施例と略同様であるため説明を省略する。【００６８】
以上、図面を参照して、本発明の最良の実施の形態を詳述してきたが、具体的な構成は、この実施の形態及び実施例に限らず、本発明の要旨を逸脱しない程度の設計的変更は、本発明に含まれる。【００６９】
例えば、前記実施の形態及び実施例では、平面視正方形、正六角形などの各辺の長さが等しい組立建物１，７について説明したが、これに限定されるものではない。
また、前記実施の形態及び実施例では、支持ユニットとして壁ユニット２Ｂ、梁柱ユニット８２、間仕切りユニット８５、袖壁ユニット９３３又は十字壁ユニット９３４などについて説明したが、これに限定されるものではなく、支持ユニットは単体の外壁パネルや内壁パネルなどであってもよい。
【図１】
2009057197.tif 000003
【図２】
2009057197.tif 000004
【図３】
2009057197.tif 000005
【図４】
2009057197.tif 000006
【図５】
2009057197.tif 000007
【図６】
2009057197.tif 000008
【図７】
2009057197.tif 000009
【図８】
2009057197.tif 000010
【図９】
2009057197.tif 000011
【図１０】
2009057197.tif 000012
【図１１】
2009057197.tif 000013
【図１２】
2009057197.tif 000014
【図１３】
2009057197.tif 000015
【図１４】
2009057197.tif 000016
【図１５】
2009057197.tif 000017
【図１６】
2009057197.tif 000018
【図１７】
2009057197.tif 000019
【図１８】
2009057197.tif 000020
【図１９】
2009057197.tif 000021
【図２０】
2009057197.tif 000022
【図２１】
2009057197.tif 000023
【図２２】
2009057197.tif 000024
【図２３】
2009057197.tif 000025
【図２４】
2009057197.tif 000026
【図２５】
2009057197.tif 000027
【図２６】
2009057197.tif 000028
【図２７】
2009057197.tif 000029
【図２８】
2009057197.tif 000030
【図２９】
2009057197.tif 000031
【図３０】
2009057197.tif 000032
【図３１】
2009057197.tif 000033
【図３２】
2009057197.tif 000034
【図３３】
2009057197.tif 000035
【図３４】
2009057197.tif 000036
【図３５】
2009057197.tif 000037
【図３６】
2009057197.tif 000038
【図３７】
2009057197.tif 000039
【図３８】
2009057197.tif 000040
【国際調査報告】
2009057197.tif 000041
2009057197.tif 000042
2009057197.tif 000043
2009057197.tif 000044
2009057197.tif 000045
2009057197.tif 000046